(57)【特許請求の範囲】
【請求項１】
開創部の体腔側に配置される内側環状部材と、該開創部の体外側に配置される外側環状部材と、該内側環状部材が一方の開口部に固定され、該外側環状部材が他方の開口部に固定された可撓性で筒状の開創部材とを有する開創器と、
前記開創部の体腔側に配置された該内側環状部材を体外に引き出すために前記内側環状部材に一端が固定された紐状部材と、
可撓性で処置具が気密を保持した状態で通される第１挿通部及び前記紐状部材が気密を保持した状態で通される第２挿通部を有し、前記外側環状部材に取り付けられて前記開創器を気密に閉塞する閉塞部とを備える体腔アクセス器具において、
前記紐状部材の他端側には、体外側で前記第２挿通部を閉塞して係止される保持部材が取り付けられ、該保持部材は、気密を保持した状態で該紐状部材を摺動可能に挿通する孔部を有することを特徴とする体腔アクセス器具。
【請求項２】
請求項１記載の体腔アクセス器具であって、
前記保持部材は、該第２挿通部を閉塞可能な栓部と、該栓部より体外側において該第２挿通部の軸線方向と交わる方向に屈曲可能な屈曲部と、該屈曲部が屈曲したときに前記閉塞部の体外側の表面に係止される係止部とを有することを特徴とする体腔アクセス器具。
【請求項３】
請求項１または２記載の体腔アクセス器具であって、
該開創部に装着された前記開創器に挿入され、処置具の体腔内への導入路を構成する処置具導入部を有し、
該処置具導入部は、前記開創部材に沿って延在される筒状部と、該筒状部の体外側の端部から外周方向に向かって張り出して、体表面または前記外側環状部材と前記閉塞部とに挟持される拡径部とを有し、
前記筒状部の内壁には、軸線方向に沿って前記紐状部材を通過又は収納可能なスリットが形成されていることを特徴とする体腔アクセス器具。
【発明の詳細な説明】
【技術分野】
【０００１】
本発明は、体腔内にアクセスして処置を行うときに開創部に装着される処置具導入用の体腔アクセス器具に関する。
【背景技術】
【０００２】
従来から開創部を開いた状態にするための開創器と、該開創器に取り付けられ体腔内の気密性を維持する閉塞部とを備えた体腔アクセス器具が用いられている。
【０００３】
この種の体腔アクセス器具として、開創部の体腔側に配置される内側環状部材と、該開創部の体外側に配置される外側環状部材と、該内側環状部材が一方の開口部に固定され、該外側環状部材が他方の開口部に固定された可撓性で筒状の開創部材とを有する開創器と、前記開創部に装着された前記開創器に挿入され、処置具の体腔内への導入路を構成する漏斗状の処置具導入部と、前記処置具が気密を保持した状態で通される挿通部を有し、前記外側環状部材に取り付けられて前記開創器を気密に閉塞する閉塞部とを備えた体腔アクセス器具が知られている（例えば、特許文献１参照）。
【０００４】
さらに、この体腔アクセス器具は、一端が前記内側環状部材に固定され、他端が前記開創部の体腔側に配置された前記内側環状部材を体外に引き出すために把持される把持部材に固定された紐状部材を備えている。
【０００５】
この把持部材は、環状部材であり、漏斗状の前記処置具導入部が挿入された状態で、開創器との間に挟まれて固定される。
【０００６】
この結果、開創器を開創部から取り外す際に、前記把持部材を開創部から離れる方向に引っ張ることで、紐状部材を介して体腔内の内側環状部材を開創部材とともに体外に引き出すことができる。
【先行技術文献】
【特許文献】
【０００７】
【特許文献１】国際公開第２０１５／１４６４８４号
【発明の概要】
【発明が解決しようとする課題】
【０００８】
しかしながら、前記体腔アクセス器具の紐状部材は、開創部に開創器を装着する際に、前記把持部材が邪魔にならないように紐が長めに設計されている。そのため、開創部に前記体腔アクセス器具を取り付けて前記処置具を挿入して手技をするときに、体腔内において弛んだ紐状部材の紐が該処置具に干渉するという不都合がある。
【０００９】
上記の点に鑑み、本発明は、処置具に干渉することのない紐状部材を備える体腔アクセス器具を提供することを目的とする。
【課題を解決するための手段】
【００１０】
かかる目的を達成するために、本発明の体腔アクセス器具は、開創部の体腔側に配置される内側環状部材と、該開創部の体外側に配置される外側環状部材と、該内側環状部材が一方の開口部に固定され、該外側環状部材が他方の開口部に固定された可撓性で筒状の開創部材とを有する開創器と、前記開創部の体腔側に配置された該内側環状部材を体外に引き出すために前記内側環状部材に一端が固定された紐状部材と、可撓性で処置具が気密を保持した状態で通される第１挿通部及び前記紐状部材が気密を保持した状態で通される第２挿通部を有し、前記外側環状部材に取り付けられて前記開創器を気密に閉塞する閉塞部とを備える体腔アクセス器具において、前記紐状部材の他端側には、体外側で前記第２挿通部を閉塞して係止される保持部材が取り付けられ、該保持部材は、気密を保持した状態で該紐状部材を摺動可能に挿通する孔部を有することを特徴とする。
【００１１】
本発明において、体腔アクセス器具は、外側環状部材を開創部の体外側に配置しつつ内側環状部材を開創部の体腔側に配置し、さらに、該外側環状部材に閉塞部を取り付けることで、開創部に設置される。
【００１２】
逆に、開創部から体腔アクセス器具を取り外す際には、閉塞部を外側環状部材から取り外した後に、紐状部材を開創部から離れる方向に移動させると、該紐状部材の一端は内側環状部材に固定されているため、体腔内の内側環状部材が開創部材とともに体外に引き出される。
【００１３】
この体腔アクセス器具を用いて手技をするときは、閉塞部の第１挿通部から処置具を体腔内に導入し、体腔内の気密性を維持しつつ処置が行われる。
【００１４】
その際、紐状部材の体外側には保持部材が取り付けられ、保持部材は第２挿通部を閉塞しつつ係止されるので、体腔内の気密性が維持される。また、保持部材には紐状部材を摺動可能な孔部が設けられているので、保持部材が第２挿通部を閉塞した状態で、紐状部材を開創部から離れる方向に引っ張ることで、気密性を保持しつつ体腔内で弛んでいる紐状部材を体外側に引き出すことができる。
【００１５】
したがって、本発明の体腔アクセス器具によれば、処置具を挿入して手技をするときに、紐状部材が処置具に干渉することを低減できる。
【００１６】
また、本発明の体腔アクセス器具において、前記保持部材は、該第２挿通部を閉塞可能な栓部と、該栓部より体外側において該第２挿通部の軸線方向と交わる方向に屈曲可能な屈曲部と、該屈曲部が屈曲したときに前記閉塞部の体外側の表面に係止される係止部とを有することが好ましい。
【００１７】
これによれば、簡易な構成によって、保持部材は挿通するときの形状から係止するときの形状に変形させることができる。
【００１８】
また、本発明の体腔アクセス器具は、該開創部に装着された前記開創器に挿入され、処置具の体腔内への導入路を構成する処置具導入部を有し、該処置具導入部は、前記開創部材に沿って延在される筒状部と、該筒状部の体外側の端部から外周方向に向かって張り出して、体表面または前記外側環状部材と前記閉塞部とに挟持される拡径部とを有し、前記筒状部の内壁には、軸線方向に沿って前記紐状部材を通過又は収納可能なスリットが形成されていることが好ましい。
【００１９】
これによれば、処置具導入部を設けることで、開創器を通して処置具を体腔内に導入する際の保護ライニング及び導入路とすることができる。また、開創器に処置具導入部を取り付ける際には、紐状部材は筒状部の内側を通した後、筒状部材に形成されたスリットに収納、又は、スリットを介して内壁側から外壁側に移動させることができるため、処置具を挿入して手技をするときに、紐状部材が処置具に干渉することを低減できる。
【図面の簡単な説明】
【００２０】
【図１】本発明の一実施形態に係る体腔アクセス器具についての患者の開創部に装着された状態での斜視断面図。
【図２】図１の体腔アクセス器具の処置具導入部であって、図２Ａは側面側から見た斜視図、図２Ｂは底面側から見た斜視図。
【図３】図１の体腔アクセス器具の保持部材であって、図３Ａは挿通状態の側面図、図３Ｂは図３ＡのＢ−Ｂ線断面図、図３Ｃは係止状態の正面図。
【図４】図４Ａは、開創部に開創器及び処置具導入部が装着されたときの様子を示す断面図、図４Ｂは、図４Ａの状態から、紐状部材がスリットを通過したときの様子を示す断面図
【発明を実施するための形態】
【００２１】
以下、図面を用いて本発明の実施形態を説明する。図１に示すように、第１実施形態に係る体腔アクセス器具１は、患者の体壁２に設けられて体腔３内に通じる開創部４を開いた状態に維持するための開創器５と、開創器５に挿入される処置具導入部６と、開創器５を体外側において閉塞するための閉塞部７と、開創器５を開創部４から取り外すときに操作される紐状部材８と、紐状部材８の体外側に固定された保持部材９とを備える。
【００２２】
開創器５は、開創部４の体腔３側に配置される内側環状部材５１と、開創部４の体外側に配置される外側環状部材５２と、一方の開口部に内側環状部材５１が固定され、他方の開口部に外側環状部材５２が固定された可撓性の開創部材５３とを有する。紐状部材８は、内側環状部材５１に固定され、開創部４の体腔側に配置された内側環状部材５１を体外に引き出すために牽引される。
【００２３】
外側環状部材５２及び内側環状部材５１は、いずれも所定の外力により弾性変形自在となっており、自由状態では円形となり、内側環状部材５１は外側環状部材５２よりも小さい直径を有する。
【００２４】
開創部材５３は、例えば、ポリウレタンからなる弾性を有する薄膜で形成される。開創器５が開創部４に装着されていない状態では、開創部材５３は、筒状の形態を有し、外側環状部材５２及び内側環状部材５１の外径よりも小さい直径を有する。
【００２５】
外側環状部材５２は、例えば、シリコーンゴムで構成され、ほぼ長方形の断面形状を有する。内側環状部材５１は、例えば、シリコーンゴムで構成され、ほぼ円形の断面形状を有する。開創器５は、内側環状部材５１が開創部４の体腔側に配置され、外側環状部材５２が開創部４の体外側に配置された状態で、外側環状部材５２を巻取り軸として開創部材５３の体外側の一部を巻き取ることにより、開創部材５３の実質的な長さを体壁２の厚さに対応させながら、開創部４に装着することができる。
【００２６】
閉塞部７は、円盤状の天蓋部材７１と、天蓋部材７１を外側環状部材５２に気密に装着するための装着リング７２とを備える。天蓋部材７１の表面及び裏面には、第１膜部材７３及び第２膜部材７４とが積層されている。
【００２７】
天蓋部材７１は、可撓性を有する軟質樹脂で構成され、外側環状部材５２の内径と同程度の直径を有する２枚のシート部材（ゲルシート）７５ａ及び７５ｂを積層して形成される。天蓋部材７１は、３枚以上のシート部材で構成されてもよい。軟質樹脂としては、例えば、シリコーンゴム、ポリウレタン、又はポリエチレンを用いることができる。
【００２８】
シート部材７５ａ及び７５ｂは、円柱状の処置具を体腔３内に導入するために厚さ方向に貫通したスリット部７６を複数箇所に備える。シート部材７５ａの各スリット部７６は、シート部材７５ｂの対応するスリット部７６と十字をなして直交する。
【００２９】
第１膜部材７３及び第２膜部材７４は、伸縮性を有するとともにシート部材７５ａ及び７５ｂを構成する軟質樹脂に対して滑り性を有する別の軟質樹脂からなり、天蓋部材７１の直径よりも大きい直径を有する。該別の軟質樹脂としては、例えば、ポリウレタン、ポリ塩化ビニル、又はポリエチレンを用いることができる。第１膜部材７３及び第２膜部材７４は、その間で天蓋部材７１を挟持するように、その端部が互いに接着される。
【００３０】
第１膜部材７３は、シート部材７５ａの各スリット部７６の中心位置と重なる位置に、各スリット部７６に通される処置具を通過させるための円孔７７を備える。円孔７７は、処置具の直径の４０〜９０％の範囲の直径を有する。
【００３１】
第２膜部材７４は、シート部材７５ｂの各スリット部７６に対応する位置に、各スリット部７６に通される処置具を通過させるためのスリット部７８を備える。スリット部７８は、シート部材７５ｂの対応するスリット部７６と直交し、スリット部７６と同程度の長さを有する。
【００３２】
第１膜部材７３の円孔７７、シート部材７５ａ及び７５ｂのスリット部７６、及び第２膜部材７４のスリット部７８により、気密性を維持しつつ処置具が通される挿通部７９が構成される。
【００３３】
装着リング７２は、例えば、天然ゴムやポリウレタンで構成され、断面が略Ｕ字形状であって、開創器５の外側環状部材５２に装着可能である。装着リング７２は、外側環状部材５２に装着されたときに外側環状部材５２の体外側に天蓋部材７１が位置するように、第１膜部材７３及び第２膜部材７４の端部が接着される。
【００３４】
処置具導入部６は、開創部４に装着された開創器５に挿入され、開創部材５３を保護しつつ、処置具の体腔内への導入路を構成する。処置具導入部６は、漏斗状の形状を有し、漏斗の出口側に当たる筒状部６１と、筒状部６１の入り口側に隣接した円錐部６２と、円錐部６２の体外側に隣接する環状壁部６３とを備える。なお、円錐部６２及び環状壁部６３が、本発明の拡径部に相当する。
【００３５】
図２Ａ及び図２Ｂに示すように、筒状部６１には、内外を貫通するスリット６４が軸線方向に沿って形成されている。円錐部６２には、表裏を貫通してスリット６４に連設された円孔６５が形成されている。スリット６４及び円孔６５は、周方向に１２０度ずつ等間隔に離れて３つ設けられている。なお、本実施形態のスリット６４及び円孔６５が、本発明のスリットに相当する。
【００３６】
図１に示すように、処置具導入部６は、開創部４に装着された開創器５及びこれを閉塞する閉塞部７が形成する空間内にほぼ収まる形状及び寸法を有する。したがって、環状壁部６３は、開創器５の外側環状部材５２よりやや小さい径及びやや短い軸方向長さを有する。
【００３７】
筒状部６１は、外径が開創器５で開かれた開創部４の径よりやや小さく、内径が導入される処置具の外径よりも大きく形成されている。例えば、直径が５ｍｍ程度の処置具を３本まとめて通すことができる内径を有する。筒状部６１の長さは、体壁２の厚さと同程度である。処置具導入部６を構成する素材としては、ポリウレタン、ポリ塩化ビニル、ポリエチレン等の弾性素材が用いられる。
【００３８】
紐状部材８は、開創器５の内側環状部材５１に一端が固定され、他端は、保持部材９に固定される。
【００３９】
保持部材９は、閉塞部７の挿通部７９に挿入され、挿通部７９を閉塞する。保持部材９を構成する素材としては、ポリウレタン、ポリ塩化ビニル、ポリエチレン等の弾性素材が用いられる。保持部材９は、図１並びに図３Ａ乃至図３Ｃに示すように、紐状部材８が接続される円柱部９１と、円柱部９１の端部から屈曲部９２を介して２つの係止部９３とを備える。
【００４０】
保持部材９のうち該円柱部９１が、栓として閉塞部７の挿通部７９を閉塞する（円柱部９１が本発明の栓部に相当）。円柱部９１には、図３Ｂに示すように、先端（図３の下端）から基端まで（図３の上端）まで、軸方向に沿って紐状部材８を通す紐用孔部９４が２つ設けられている。紐用孔部９４は、紐状部材８の径よりやや大きい内径を有するので、気密性を維持しつつ紐状部材８を摺動できる。また、円柱部９１の外周には、滑り止めとして、溝９１ａが設けられている。
【００４１】
屈曲部９２は、係止部９３の先端の内側に溝を設けることで、係止部９３よりも薄く形成されている。これにより、図３Ｃに示すように、係止部９３は円柱部９１の軸方向（図３の上下方向）に交わる方向（図３では、左右方向）に夫々揺動可能である。
【００４２】
保持部材９は、図３Ａ及び図３Ｂに示すように、両係止部９３が接近した状態で挿通部７９に挿入され、図３Ｃに示すように、両係止部９３が離れた状態のときに挿通部７９に係止される。
【００４３】
係止部９３は板状であって、中央に、表裏を貫通する第１開口部９５及び第２開口部９６が夫々設けられている。また、第１開口部９５と第２開口部９６との間には、橋絡部９７が設けられている。橋絡部９７は、係止部９３の厚さよりも厚さが薄く形成されている。
【００４４】
紐状部材８は、図３Ｂに示すように、例えば、左側の紐用孔部９４を経て該紐用孔部９４の基端側から突出し、左側の第１開口部９５を右から左に通過し、両第２開口部９６を左から右に通過し、右側の第１開口部９５を右から左に通過し、右側の紐用孔部９４を経て先端側から突出する。
【００４５】
この構成において、体腔アクセス器具１を用いて患者の手術を行う場合には、まず、予め設けられた開創部４に開創器５を装着する。すなわち、紐状部材８が開創器５の内側を通り、保持部材９が外側環状部材５２の上方に離された状態で、開創器５の内側環状部材５１を撓めて開創部４から体腔３内に挿入し、体腔３内で展開させる。これにより、内側環状部材５１が、開創部４の体腔３側に配置され、開創器５の外側環状部材５２は、体外側に位置した状態となる。
【００４６】
そして、外側環状部材５２を把持し、外側環状部材５２を軸として開創部材５３を巻き取ることにより、開創部材５３を径方向に拡張して所望の大きさの直径を有する開口部を形成するとともに、開創部材５３の長さを体壁２の厚さに対応させる。これにより、開創器５の装着が完了する。
【００４７】
次に、紐状部材８が処置具導入部６の内側を通り、保持部材９が処置具導入部６の上方に離された状態で、処置具導入部６を開創器５に挿入する。このとき、開創部材５３で形成されている開口部に、処置具導入部６の筒状部６１が挿入される。これにより、図４Ａに示すように、処置具導入部６は、開創器５の体外側から開創部４の部分に到る領域に適合（フィット）した状態となる。
【００４８】
次に、紐状部材８を、スリット６４に押し付けて筒状部６１の内側から外側に牽引してスリット６４を通過させる。これにより、紐状部材８は、内側環状部材５１を起点として、開創器５と処置具導入部６の筒状部６１との間を通り、さらに処置具導入部６の円錐部６２に設けられた円孔６５を通って、体外側に到る経路上に配置された状態となる。
【００４９】
次に、図４Ｂに示すように、閉塞部７の裏側から保持部材９を挿通部７９に挿入し、保持部材９の円柱部９１によって、挿通部７９を閉塞する。
【００５０】
その際、保持部材９を挿入する前に、保持部材９を把持して紐状部材８を下方に牽引する。そうすると、橋絡部９７に紐状部材８が掛かった状態で紐状部材８の弛みがとれていき、係止部９３が夫々接近し挿通状態に変形される。特に、橋絡部９７は係止部９３より薄いので、紐状部材８は係止部９３の外表面より内側に収納される。この結果、保持部材９を挿通部７９に挿入する際に、紐状部材８が干渉することが防止される。
【００５１】
次に、図１に示すように、閉塞部７を外側環状部材５２に取り付ける。すなわち、装着リング７２で外側環状部材５２を被覆することにより、閉塞部７を開創器５に装着する。これにより、環状壁部６３は、外側環状部材５２と閉塞部７とに挟持されることになる。
【００５２】
次に、図１及び図３Ｃに示すように、保持部材９の係止部９３を、屈曲部９２を基点に夫々外側に屈曲させる。これにより、両係止部９３の外周が、挿通部７９の内径よりも大となるため、仮に保持部材９が下方に引っ張られたとしても、係止部９３の下端側が、天蓋部材７１の第１膜部材７３に係止され、外れて体腔側に落ちることが防止される。
【００５３】
最後に、図３Ｃの二点鎖線で示すように、紐状部材８の上部をより上方に牽引する。これにより、紐状部材８は、紐用孔部９４を摺動して体外側に引き出されるため、体腔側における弛みをなくすことができる。
【００５４】
これにより、体腔３内が気密状態となり、各処置具を用いた手術を行うことができる状態となる。この状態で手術が行われる間、紐状部材８は、処置具の作業領域にはみ出してくることがないので、手技の妨げになることが防止される。
【００５５】
また、処置具導入部６により、処置具による開創部材５３や開創部４の損傷が防止されるが、紐状部材８は開創器５と処置具導入部６の筒状部６１との間を通ることから、手技の妨げになることはない。
【００５６】
さらに、筒状部６１には、スリット６４が設けられているため、筒状部６１が径方向外側に多少開くことが許容され、処置具の幅広い動きを妨げることを防止できる。
【００５７】
手術が完了し、体腔アクセス器具１を開創部４から取り外す際には、まず、閉塞部７を、処置具とともに、外側環状部材５２から取り外す。次に、処置具導入部６を開創器５から抜き取る。さらに、保持部材９を閉塞部７から抜き取って、開創部４から離れる方向に移動させることにより、紐状部材８を介して、内側環状部材５１を、開創部材５３とともに体腔３内から引き出す。
【００５８】
このとき、紐状部材８が常に開創部材５３の内側に位置するので、紐状部材８により開創部４が損傷を受けることはない。内側環状部材５１の取り出しが終了すると、体腔アクセス器具１の取り外しが完了する。
【００５９】
なお、本実施形態では、複数の挿通部７９が設けられ、そのひとつに保持部材９が嵌合され、他の挿通部７９に処置具が嵌合される構成を説明したが、本発明はこれに限らず、処置具用の挿通部（本発明の第１挿通部に相当）と保持部材９用の挿通部（本発明の第２挿通部に相当）をそれぞれ異なるサイズ・構成などで別々に設けてもよい。
【００６０】
なお、本実施形態では、積層した天蓋部材７１に気密性が保持可能な挿通部７９を設けて、処置具を挿入する構成を説明したが、本発明はこれに限らず、一枚の膜状部材からなる天蓋部材７１に円孔を設け、各円孔に逆止弁が備えられた処置具挿入ユニットを取り付けてもよい。このとき、保持部材９は、該円孔に嵌めこんでもよく、処置具挿入ユニットに嵌めこんでもよい。
【００６１】
なお、本実施形態では、保持部材９の係止部９３が揺動する構成を説明したが、本発明はこれに限られるものではない。すなわち、保持部材９は、係止状態において、挿通部７９から下方に落ちないように抜け止めされていればよいため、体外側の一部が膨らんでもよい。また、保持部材９は、棒状部材であって紐状部材８が軸方向の中央部に係止されたものであり、挿通部７９を下から上方向に通した後で、左右方向に倒して挿通部７９を塞いでもよい。さらには、挿通部７９を通した柱状の保持部材に対して、Ｃリングのような抜け止め部材を事後的に取り付けてもよい。
【００６２】
つまり、保持部材９は、挿通部７９を通過する挿通状態から閉塞部７の体外側の表面に係止される係止状態に遷移可能であって、挿通状態では挿通部７９を通過可能な外径を備えるとともに、係止状態では挿通部７９の軸線方向に交わる方向に向けて、前記外径以上に広がるように変形されればよい。
【００６３】
なお、本実施形態では、保持部材９を予め紐状部材に通しておく構成を説明したが、本発明はこれに限られるものではなく、例えば、挿通部７９に対して紐状部材８を通した後で保持部材９を取り付けてもよい。
【符号の説明】
【００６４】
１…体腔アクセス器具、３…体腔、４…開創部、５…開創器、５１…内側環状部材、５２…外側環状部材、５３…開創部材、６…処置具導入部、６１…筒状部、６２…円錐部（拡径部）、６３…環状壁部（拡径部）、６４…スリット、７…閉塞部、７９…挿通部、８…紐状部材、９…保持部材、９１…栓部、９２…屈曲部、９３…係止部、９４…孔部（紐用孔部）、
【図１】
0006618187.tif 000002
【図２】
0006618187.tif 000003
【図３】
0006618187.tif 000004
【図４】
0006618187.tif 000005